(57)【要約】【課題】スクリーン面に沿って流れる下向流の流速が低下することを抑制できる担体分離装置を提供する。【解決手段】微生物固定化担体２を散気装置からの散気により流動状態に保持する処理槽１において、スクリーン９を介して槽内領域に連通する流出水路部７を設け、スクリーンの前面を覆って下向流路部１０を設け、スクリーン９に対向する下向流路部１０のガイド壁面１３を鉛直方向に対して傾斜配置することで、下向流路部１０の流路断面積を上部の流入口１１から下部の還流口１２に向けて漸減させた。【選択図】　　図１
2004082011.tif 000002
【特許請求の範囲】
【請求項１】
微生物固定化担体を散気装置からの散気により流動状態に保持する処理槽において、スクリーンを介して槽内領域に連通する流出水路部を設け、スクリーンの前面を覆って下向流路部を設け、スクリーンに対向する下向流路部のガイド壁面を鉛直方向に対して傾斜配置することで、下向流路部の流路断面積を上部の流入口から下部の還流口に向けて漸減させたことを特徴とする担体分離装置。
【発明の詳細な説明】
【０００１】
【発明の属する技術分野】
本発明は、下水や産業排水の浄化に使用される担体投入型窒素除去装置などにおいて微生物固定化担体を槽内に保持するための担体分離装置に関する。
【０００２】
【従来の技術】
従来、微生物を利用して汚濁物質を除去する下水処理場などにおいて、処理槽内に微生物を高濃度に保持して処理効率を高めるために、微生物を担体に高濃度に固定化する固定化技術が採用されつつある。
【０００３】
微生物を担体（微生物固定化担体）に固定化する場合に、高い反応効率を得るためには微生物固定化担体を槽内に均一に存在させ、かつ流動状態に保持する必要があり、さらに担体が槽外へ流出することを防止する必要がある。
【０００４】
このため、特開平９−１１７７８５号公報に開示する技術においては、処理槽内にエアーリフトに起因する循環流を生起し、担体分離スクリーンを通して槽内混合液を取り出し、担体分離スクリーンで担体が槽外へ流出するのを防止している。また、担体分離スクリーンに沿ってガイド板を配置して担体分離スクリーンとガイド板との間に下向流路を形成し、担体分離スクリーンに担体が付着しないよう下向流によって担体を担体分離スクリーンに沿って流動させている。
【０００５】
【発明が解決しようとする課題】
ところで、担体分離スクリーンに沿って担体を流動させるためには下向流に所定の流速が必要である。しかし、担体分離スクリーンとガイド板との間の下向流路に流入した槽内液の一部は担体分離スクリーンを通って槽外へ流れ出るので、上部の流入口から下向流路へ流入する流入量に対して下部の還流口から槽内へ戻る還流量は少なくなり、結果として下向流路を流れる下向流の流速は流入口から還流口に向かうほどに遅くなり、担体を流動させる力（スクリーン洗浄作用）が低下する。
【０００６】
本発明は上記問題を解決するもので、スクリーン面に沿って流れる下向流の流速が低下することを抑制できる担体分離装置を提供することを目的とするものである。
【０００７】
【課題を解決するための手段】
上記問題を解決するために、請求項１に係る本発明の担体分離装置は、微生物固定化担体を散気装置からの散気により流動状態に保持する処理槽において、スクリーンを介して槽内領域に連通する流出水路部を設け、スクリーンの前面を覆って下向流路部を設け、スクリーンに対向する下向流路部のガイド壁面を鉛直方向に対して傾斜配置することで、下向流路部の流路断面積を上部の流入口から下部の還流口に向けて漸減させたものである。
【０００８】
上記した構成により、処理槽内において微生物固定化担体および槽内液の一部は散気空気のエアリフト作用によって、上部の流入口から下向流路部へ流入し、下向流となって下向流路部を流下し、下部の還流口から槽内へ還流する。下向流路部において微生物固定化担体はスクリーンを透過することなく下向流とともにスクリーンに沿って流れ、槽内液の一部がスクリーンを透過して流出水路部へ流れ出る。このため、下向流路部を流下する下向流の流量は還流口側ほど漸次に少なくなるが、下向流路部の流路断面積が上部の流入口から下部の還流口に向けて漸減することで、流速の低下を抑制することができ、微生物固定化担体をスクリーンに沿って安定して流動させることができ、スクリーン面に微生物固定化担体が付着することを防止できる。
【０００９】
【発明の実施の形態】
以下、本発明の実施形態を図面に基づいて説明する。図１において、窒素含有汚水などの有機性汚水を浄化する生物処理槽１は内部に活性汚泥とともに微生物固定化担体２を貯留しており、槽内の所定位置に散気装置３を設置している。　生物処理槽１の周壁４に沿って配置した担体分離装置５は、槽外へ連通する流出路６をなす流出水路部７を有し、流出水路部７は前面の開口部８に設置したスクリーン９を介して槽内領域に連通している。担体分離装置５はスクリーン９の前面を覆って配置する下向流路部１０を有し、下向流路部１０は上部の流入口１１と下部の還流口１２とにおいて槽内領域に連通している。下向流路部１０はスクリーン９に対向するガイド壁面１３が鉛直方向に対して傾斜し、ガイド壁面１３の上端部に比べて下端部がスクリーン９に近づく形状をなし、下向流路部１０の流路は流路断面積が上部の流入口１１から下部の還流口１２に向けて漸減する形状をなしている。
【００１０】
上記した構成における作用を説明する。生物処理槽１では槽内に流入する有機性汚水を散気装置３から散気する空気で曝気し、微生物固定化担体２を流動状態に保持する状態で、槽内の微生物および微生物固定化担体２に保持する微生物で生物処理して有機性汚水を浄化する。
【００１１】
微生物固定化担体２および槽内液の一部は、散気装置の散気によるエアリフト作用で担体分離装置５の下向流路部１０へ上部の流入口１１から流入し、下向流となって下向流路部１０を流下し、下部の還流口１２から槽内へ還流する。下向流路部１０において、微生物固定化担体２はスクリーン９を透過することなく下向流とともにスクリーン面に沿って流れ、槽内液はスクリーン面に沿って流れて微生物固定化担体２を下方へ押し流すとともに、一部がスクリーン９を透過して流出水路部７へ流出し、下向流路部１０を流下する下向流の流量は還流口１２に近づくほど漸次に少なくなる。
【００１２】
例えば、下向流路部１０へ流入口１１から流入する流入流量Ｑに対し、スクリーン９を通過する流出水量をスクリーン通過流量Ｑ１とすると、還流口１２から槽内へ還流する還流量Ｑ２はＱ−Ｑ１となる。ここで、下向流路部１０における流路断面積Ａが流入口１１から還流口１２まで一定であると仮定すると、流入口１１における流速Ｖ１はＱ／Ａであり、還流口１２における流速Ｖ２は（Ｑ−Ｑ１）／Ａとなり、スクリーン９に沿う方向の流速が低下する。
【００１３】
しかし、下向流路部１０の流路断面積は上部の流入口１１から下部の還流口１２に向けて漸減するので、還流口１２に近づくほど下向流の流量が少なくなっても、その流速の低下を抑制して微生物固定化担体２をスクリーン９に沿って安定して流動させることができ、スクリーン面に担体が付着することを防止できる。
【００１４】
例えば、流入口１１における流路断面積Ａ１、還流口１２における流路断面積Ａ２として、
Ｑ／Ａ１＝Ｖ１＝Ｖ２＝（Ｑ−Ｑ１）／Ａ２
Ａ２／Ａ１＝（Ｑ−Ｑ１）／Ｑ
を満たせば流速を一定に制御できる。
【００１５】
【発明の効果】
以上のように本発明によれば、下向流路部を流下する下向流の流量が還流口側ほど漸次に少なくなることに対して、スクリーンに対向する下向流路部のガイド壁面を鉛直方向に対して傾斜配置し、下向流路部の流路断面積を上部の流入口から下部の還流口に向けて漸減することで、流速の低下を抑制して微生物固定化担体をスクリーンに沿って安定して流動させることができ、スクリーン面に微生物固定化担体が付着することを防止できる。
【図面の簡単な説明】
【図１】本発明の実施形態における担体分離装置を示す断面図である。
【符号の説明】
１　　生物処理槽
２　　微生物固定化担体
３　　散気装置
４　　周壁
５　　担体分離装置
６　　流出路
７　　流出水路部
８　　開口部
９　　スクリーン
１０　　下向流路部
１１　　流入口
１２　　還流口
１３　　ガイド壁面
【図１】
2004082011.tif 000003